(57)【要約】【課題】  音声信号の出力経路に直列に挿入される余計な抵抗素子を設けずに、音声再生の品質低下を招くことなく、様々な定格電気インピーダンスが異なるヘッドホンに対応可能なヘッドホン用増幅器、および、これを用いたヘッドホン再生装置を提供する。【解決手段】  ヘッドホン用増幅器は、反転入力端子または非反転入力端子のいずれか一方に音声信号が入力されて、出力端子から増幅された音声信号を出力する差動増幅回路と、差動増幅回路の出力端子と反転入力端子のいずれかにそれぞれ接続する正端子および負端子を有するヘッドホン端子と、を備える。【選択図】  図１
2015056705.tif 000002
【特許請求の範囲】
【請求項１】
反転入力端子または非反転入力端子のいずれか一方に音声信号が入力されて、出力端子から増幅された音声信号を出力する差動増幅回路と、
該差動増幅回路の該出力端子と該反転入力端子のいずれかにそれぞれ接続する正端子および負端子を有するヘッドホン端子と、
を備えるヘッドホン用増幅器。
【請求項２】
前記差動増幅回路の前記出力端子と前記反転入力端子とを接続する負帰還抵抗素子をさらに備える請求項１に記載のヘッドホン用増幅器。
【請求項３】
前記反転入力端子または前記非反転入力端子のいずれか一方に接続されて前記差動増幅回路のゲインを定める入力抵抗素子をさらに備える請求項１または２に記載のヘッドホン用増幅器。
【請求項４】
前記負帰還抵抗素子ならびに前記入力抵抗素子が、その抵抗値を変更可能に構成される可変抵抗器である、請求項３に記載のヘッドホン用増幅器。
【請求項５】
請求項１から４のいずれかに記載のヘッドホン用増幅器と、
前記ヘッドホン用増幅器の前記ヘッドホン端子に接続するヘッドホンと、
を含むヘッドホン再生装置。
【発明の詳細な説明】
【技術分野】
【０００１】
本発明は、ヘッドホンを接続して音声信号を再生するヘッドホン用増幅器、および、これを用いたヘッドホン再生装置に関する。
【背景技術】
【０００２】
音声信号を再生するヘッドホン用増幅器では、ヘッドホン（以下、イヤホンを含む意味で用いる。）を接続して可聴音域の音波を再生する。ヘッドホンには、動電型ドライバーが一般的に使用される。ヘッドホン用増幅器で電力増幅した音声信号は、動電型ドライバーの磁気回路の磁気空隙内に配置するボイスコイルに供給されて、その結果、振動板が振動して音波に変換される。
【０００３】
ヘッドホンには様々な種類があり、ボイスコイルの定格電気インピーダンスの値は、小さい製品では数Ω、大きい製品では数百Ω、と幅が広いという特徴がある。そのために、ヘッドホン用増幅器の出力電圧が同一であっても、接続されるヘッドホンの定格電気インピーダンスが異なると、接続されるヘッドホンによって再生音量が大きく異なり差がある場合がある、という問題がある。
【０００４】
例えば、同じ能率で、かつ、定格電気インピーダンスが異なる２つのヘッドホンがあると仮定すると、定格電気インピーダンスが小さいヘッドホンの方が、定格電気インピーダンスが大きいヘッドホンの方よりも、再生音量が大きくなる。ヘッドホン製品の定格電気インピーダンスの値は、上記の通りその値の桁数が異なる場合があるので、２つのヘッドホンの間で再生音量の差が著しく大きくなるという問題がある。
【０００５】
従来には、出力端子にインピーダンスがＲ１、Ｒ２の２種類の負荷が選択的に接続される出力回路を設け、上記出力端子に直列に√（Ｒ１＊Ｒ２）なるインピーダンスの素子を接続したことを特徴とする信号出力装置がある（特許文献１）。
【０００６】
また、従来には、電音声信号を制御する音声信号制御手段と、該音声信号制御手段に接続されて複数の異なる出力電圧を出力する出力手段とを備えたノート型パーソナルコンピュータにおいて、前記出力手段が、外部機器に接続される出力端子と、音声信号を増幅する増幅回路と、該増幅回路と前記出力端子との間に直列に介装された抵抗体とを具備していることを特徴とするノート型パーソナルコンピュータがある（特許文献２）。
【０００７】
また、従来には、オーディオ信号を再生する機能を有する携帯電話機に接続する接続装置であって、前記携帯電話機で再生された音声信号と前記携帯電話機から供給される直流電源とを入力する入力ケーブルと、該入力ケーブルから入力された音声信号を前記入力ケーブルから入力された前記直流電源を用いて増幅する増幅手段と、該増幅手段によって増幅された音声信号を出力する出力端子とを具備し、前記増幅手段と前記出力端子との間には、出力インピーダンスを調整する抵抗が介装されていることを特徴とする接続装置がある（特許文献３）。
【０００８】
【特許文献１】特開昭５８−５７８０９号公報
【特許文献２】特開平９−２３１０５０号公報
【特許文献３】特開２００６−２７０５８３号公報
【０００９】
しかしながら、上記のようなヘッドホン用増幅器では、音声信号の出力経路に直列に挿入される余計な抵抗素子を設けることになるので、音声再生の品質低下を招くという問題がある。また、挿入した抵抗素子により分圧された出力電圧がヘッドホンのドライバーのボイスコイルに提供されることになるので、増幅器としてみると出力のより大きいアンプ回路が必要になるという問題がある。
【発明の概要】
【発明が解決しようとする課題】
【００１０】
本発明は、上記の従来技術が有する問題を解決するためになされたものであり、その目的は、音声信号の出力経路に直列に挿入される余計な抵抗素子を設けずに、音声再生の品質低下を招くことなく、様々な定格電気インピーダンスが異なるヘッドホンに対応可能なヘッドホン用増幅器、および、これを用いたヘッドホン再生装置を提供することにある。
【課題を解決するための手段】
【００１１】
本発明のヘッドホン用増幅器は、反転入力端子または非反転入力端子のいずれか一方に音声信号が入力されて、出力端子から増幅された音声信号を出力する差動増幅回路と、差動増幅回路の出力端子と反転入力端子のいずれかにそれぞれ接続する正端子および負端子を有するヘッドホン端子と、を備える。
【００１２】
好ましくは、本発明のヘッドホン用増幅器は、差動増幅回路の出力端子と反転入力端子とを接続する負帰還抵抗素子をさらに備える。
【００１３】
好ましくは、本発明のヘッドホン用増幅器は、反転入力端子または非反転入力端子のいずれか一方に接続されて差動増幅回路のゲインを定める入力抵抗素子をさらに備える。
【００１４】
好ましくは、本発明のヘッドホン用増幅器は、負帰還抵抗素子ならびに入力抵抗素子が、その抵抗値を変更可能に構成される可変抵抗器である。
【００１５】
また、本発明のヘッドホン再生装置は、上記のヘッドホン用増幅器と、ヘッドホン用増幅器のヘッドホン端子に接続するヘッドホンと、を含む。
【００１６】
以下、本発明の作用について説明する。
【００１７】
本発明のヘッドホン用増幅器は、反転入力端子または非反転入力端子のいずれか一方に音声信号が入力されて、出力端子から増幅された音声信号を出力する差動増幅回路と、差動増幅回路の出力端子と反転入力端子のいずれかにそれぞれ接続する正端子および負端子を有するヘッドホン端子と、を備える。また、本発明のヘッドホン再生装置は、上記のヘッドホン用増幅器と、ヘッドホン用増幅器のヘッドホン端子に接続するヘッドホンと、を含む。
【００１８】
つまり、本発明の場合には、ヘッドホンが接続されるヘッドホン用増幅器の出力端子に、余計な抵抗素子が直列に挿入されることがなく、音声再生の品質低下を招かないという利点がある。また、接続されるヘッドホンが、差動増幅回路の出力端子と反転入力端子とを接続して負帰還回路を構成するので、ヘッドホンの定格電気インピーダンスに応じたゲイン調整が可能になる。したがって、接続されるヘッドホンの定格電気インピーダンスが大きい場合には差動増幅回路のゲインを高く、小さいときはゲインを低くすることができ、様々な定格電気インピーダンスが異なるヘッドホンでも、再生音量をある程度の範囲内の変化に抑えることができる。
【００１９】
ヘッドホン用増幅器は、差動増幅回路の出力端子と反転入力端子とを接続する負帰還抵抗素子をさらに備えるようにしてもよい。負帰還抵抗素子は、ヘッドホンと並列接続されて負帰還路を構成する。したがって、負帰還抵抗素子は、ヘッドホンが接続されていない場合にも差動増幅回路の帰還路を構成して、ヘッドホン用増幅器の安定した動作を実現することができる。
【００２０】
ヘッドホン用増幅器は、反転入力端子または非反転入力端子のいずれか一方に接続されて差動増幅回路のゲインを定める入力抵抗素子をさらに備えるようにしてもよい。また、ヘッドホン用増幅器は、負帰還抵抗素子ならびに入力抵抗素子が、抵抗値を変更可能に構成される可変抵抗器であってもよい。差動増幅回路のゲインを、接続するヘッドホンの定格電気インピーダンスに応じて調整して定めることができるので、様々なヘッドホンに対応して再生音量を揃えて音声再生が可能になる。
【発明の効果】
【００２１】
本発明のヘッドホン用増幅器、および、これを用いたヘッドホン再生装置は、音声信号の出力経路に直列に挿入される余計な抵抗素子を設けずに、音声再生の品質低下を招くことなく、様々な定格電気インピーダンスが異なるヘッドホンに対応することができる。
【図面の簡単な説明】
【００２２】
【図１】本発明の好ましい実施形態によるヘッドホン再生装置について説明する図である。（実施例１）
【図２】本発明の他の好ましい実施形態によるヘッドホン再生装置について説明する図である。（実施例２）
【図３】本発明の他の好ましい実施形態によるヘッドホン再生装置について説明する図である。（実施例３）
【発明を実施するための形態】
【００２３】
以下、本発明の好ましい実施形態によるヘッドホン用増幅器、および、これを用いたヘッドホン再生装置について説明するが、本発明はこれらの実施形態には限定されない。
【実施例１】
【００２４】
図１は、本発明の好ましい実施形態によるヘッドホン再生装置１について説明する図であり、具体的には、ヘッドホン再生装置１の構成を示すブロック図である。なお、説明に不要な一部の構造や、内部構造等は、図示ならびに説明を省略している。
【００２５】
ヘッドホン再生装置１は、ヘッドホン２と、ヘッドホンアンプ１０と、から構成される。ヘッドホン再生装置１は、ヘッドホンアンプ１０の入力端子１１Ｌおよび１１Ｒに入力されるステレオ左右のアナログ音声信号をそれぞれ増幅して出力端子１２Ｌまたは１２Ｒに出力し、コード６Ｌまたは６Ｒを介して出力端子１２Ｌまたは１２Ｒに接続するヘッドホン２が音声信号を音波に変換して音声再生を行なう音響再生装置である。本実施例のヘッドホン再生装置１では、ヘッドホン２は、ユーザーの左右の耳にそれぞれ対応するドライバー４Ｌおよび４Ｒを備えるステレオヘッドホンである。ヘッドホン２のドライバー４Ｌおよび４Ｒは、それぞれキャビティ３Ｌまたは３Ｒに取り付けられており、振動板に連結するボイスコイル５Ｌまたは５Ｒを含む。
【００２６】
具体的には、ヘッドホン２のボイスコイル５Ｌまたは５Ｒは、円筒状のボビンにコイルがそれぞれ巻回されて、ボビンの一方端側で振動板に連結する。また、ボイスコイル５Ｌまたは５Ｒのコイルは、（図示しない）磁気回路の（図示しない）磁気空隙に振動可能に配置される。したがって、ボイスコイル５Ｌまたは５Ｒのコイルに、それぞれコード６Ｌまたは６Ｒにより音声信号による電流が供給されると、ドライバー４Ｌまたは４Ｒの振動板ならびにボイスコイルを振動させる駆動力が発生する。
【００２７】
コード６Ｌまたは６Ｒは、それぞれ二本一組のコードであり、それらの一端側が、正負の出力端子１２Ｌ１または１２Ｌ２、または、正負の出力端子１２Ｒ１または１２Ｒ２に接続する。また、コード６Ｌまたは６Ｒの他端側は、ボイスコイル５Ｌまたは５Ｒのコイルに接続する。なお、図１では、ヘッドホン２における磁気回路、ならびに、振動板４ならびにボイスコイル５を振動可能に支持する（図示しない）エッジならびにダンパー、等の他の構成部品は、図示並びに説明を省略している。
【００２８】
このヘッドホン２に対応するヘッドホンアンプ１０は、ステレオ左右のアナログ音声信号をそれぞれ増幅して出力端子１２Ｌおよび１２Ｒに出力するアンプ回路１３Ｌおよび１３Ｒと、ヘッドホンアンプ１０の動作を制御するマイコン１４と、マイコン１４に接続してユーザー操作を受け付ける操作回路１５と、マイコン１４に接続して入力端子１１Ｌおよび１１Ｒに入力されるステレオ左右のアナログ音声信号の音量を調整するボリューム回路１６と、を含む。ボリューム回路１６は、入力されるステレオ音声信号の音量を変えてそれぞれアンプ回路１３Ｌおよび１３Ｒに出力する。また、ヘッドホンアンプ１０は、（図示しない）電源回路を含む。
【００２９】
なお、ボリューム回路１６は、アンプ回路１３Ｌおよび１３Ｒにそれぞれ内包されていてもよく、また、ヘッドホン再生装置１全体を制御するマイコン１４は、アンプ回路１３Ｌおよび１３Ｒを制御するものであってもよい。さらに、ヘッドホンアンプ１０のアンプ回路１３Ｌおよび１３Ｒは、共通する構成を備える。したがって、図１においてはアンプ回路１３Ｒの内部の図示を省略している。以下の説明では、ヘッドホンアンプ１０のアンプ回路１３Ｌについて説明し、アンプ回路１３Ｒの説明を省略する。
【００３０】
ヘッドホンアンプ１０のアンプ回路１３Ｌは、オペアンプ２０と、抵抗Ｒ１と、抵抗Ｒ２と、を含む。抵抗Ｒ１は、一端がボリューム回路１６に接続されて、他端がオペアンプ２０の反転入力端子２１に接続される。抵抗Ｒ２は、一端がオペアンプ２０の非反転入力端子２２に接続されて、他端がグランドに接地される。オペアンプ２０の出力端子２３は、ヘッドホン２を接続する出力端子１２Ｌ２に接続され、また、オペアンプ２０の反転入力端子２１ならびに抵抗Ｒ１は、出力端子１２Ｌ１に接続される。なお、オペアンプ２０への（図示しない）電源回路からの電源供給端子は、図示を省略している。
【００３１】
オペアンプ２０では、入力信号が反転入力端子２１に入力され、出力端子２３からの出力信号が、ヘッドホン２のドライバー４Ｌのボイスコイル５Ｌを介して反転入力端子２１に負帰還される。オペアンプ２０の出力端子２３と反転入力端子２１とを結ぶ負帰還路は、抵抗値を有するヘッドホン２のボイスコイル５Ｌおよびコード６Ｌにより構成される。つまり、本実施例の場合には、オペアンプ２０の負帰還路にヘッドホン２のドライバー４Ｌ以外の余計な抵抗素子が設けられていない。以下では、ボイスコイル５Ｌおよびコード６ＬのインピーダンスをＺｈＬと呼ぶ。なお、インピーダンスＺｈＬは、ほぼボイスコイル５Ｌの電気インピーダンスに依存する。
【００３２】
したがって、アンプ回路１３Ｌのゲイン（利得）は、抵抗Ｒ１およびボイスコイル５ＬのインピーダンスＺｈＬにより定まる。ヘッドホンアンプ１０では、接続されるヘッドホン２の定格電気インピーダンスが大きい場合にはアンプ回路１３Ｌのゲインを高く、小さいときはゲインを低くすることができる。その結果、ヘッドホンアンプ１０では、様々な定格電気インピーダンスが異なるヘッドホン２を接続する場合でも、再生音量をある程度の範囲内の変化に抑えることができる。また、オペアンプ２０の負帰還路にヘッドホン２のドライバー４Ｌ以外の余計な抵抗素子が設けられていないので、他の抵抗素子による音声再生の品質低下を招かないという利点がある。
【実施例２】
【００３３】
図２は、本発明の他の好ましい実施形態によるヘッドホン再生装置１について説明する図であり、ヘッドホン再生装置１は、先の実施例の場合に説明したヘッドホン２と、アンプ回路１３Ｌおよび１３Ｒの構成が先の実施例の場合と一部異なるヘッドホンアンプ１０ａと、から構成される。したがって、重複する説明は、を省略する。また、ヘッドホンアンプ１０ａのアンプ回路１３Ｌおよび１３Ｒは、共通する構成を備える。したがって、図２においてはアンプ回路１３Ｒの内部の図示を省略し、以下の説明では、ヘッドホンアンプ１０ａのアンプ回路１３Ｌについて説明し、アンプ回路１３Ｒの説明を省略する。
【００３４】
ヘッドホンアンプ１０ａのアンプ回路１３Ｌは、オペアンプ２０と、可変抵抗ＶＲ１およびＶＲ３と、抵抗Ｒ２と、を含む。可変抵抗ＶＲ１は、一端がボリューム回路１６に接続されて、他端がオペアンプ２０の反転入力端子２１に接続される。抵抗Ｒ２は、一端がオペアンプ２０の非反転入力端子２２に接続されて、他端がグランドに接地される。また、可変抵抗ＶＲ３は、オペアンプ２０の反転入力端子２１と出力端子２３とに接続される。さらにオペアンプ２０の出力端子２３は、ヘッドホン２を接続する出力端子１２Ｌ２に接続され、また、オペアンプ２０の反転入力端子２１ならびに抵抗Ｒ１は、出力端子１２Ｌ１に接続される。
【００３５】
オペアンプ２０では、入力信号が反転入力端子２１に入力され、出力端子２３からの出力信号が、並列接続された可変抵抗ＶＲ３およびヘッドホン２のドライバー４Ｌのボイスコイル５Ｌを介して反転入力端子２１に負帰還される。つまり、本実施例の場合には、オペアンプ２０の出力端子２３と反転入力端子２１とを結ぶ負帰還路は、可変抵抗ＶＲ３および抵抗値を有するヘッドホン２のボイスコイル５Ｌおよびコード６Ｌにより構成される。
【００３６】
ヘッドホンアンプ１０ａでは、アンプ回路１３Ｌのオペアンプ２０の出力端子２３と反転入力端子２１とを結ぶ負帰還路に可変抵抗ＶＲ３が接続されることで、ヘッドホン２およびコード６を出力端子１２から取り外しても負帰還路がオープンにならない。その結果、本実施例のヘッドホンアンプ１０ａでは、アンプ回路１３のオペアンプ２０の動作が安定する利点がある。
【００３７】
アンプ回路１３Ｌのゲイン（利得）は、可変抵抗ＶＲ１と、並列接続された可変抵抗ＶＲ３およびボイスコイル５ＬのインピーダンスＺｈＬと、により定まる。ヘッドホンアンプ１０ａでは、可変抵抗ＶＲ１およびＶＲ３を適宜に所定値に変更することにより、アンプ回路１３Ｌのゲインをさらに詳細に調整することが容易になる。アンプ回路１３Ｌは、接続されるヘッドホン２の定格電気インピーダンスが大きい場合にはアンプ回路１３Ｌのゲインを高く、小さいときはゲインを低くすることができる。
【００３８】
具体的には、ヘッドホンアンプ１０ａでは、マイコン１４に接続するユーザー操作を受け付ける操作回路１５により、ヘッドホンアンプ１０ａに接続するヘッドホン２の定格インピーダンスを設定するようにして、その設定値に基づいて可変抵抗ＶＲ１およびＶＲ３を適宜に所定値に変更すればよい。その結果、ヘッドホンアンプ１０ａでは、様々な定格電気インピーダンスが異なるヘッドホン２を接続する場合でも、再生音量をある程度の範囲内の変化に抑えることができる。
【実施例３】
【００３９】
図３は、本発明の他の好ましい実施形態によるヘッドホン再生装置１について説明する図であり、ヘッドホン再生装置１は、先の実施例の場合に説明したヘッドホン２と、アンプ回路１３Ｌおよび１３Ｒの構成が先の実施例の場合と一部異なるヘッドホンアンプ１０ｂと、から構成される。したがって、重複する説明は、を省略する。また、ヘッドホンアンプ１０ｂのアンプ回路１３Ｌおよび１３Ｒは、共通する構成を備える。したがって、図３においてはアンプ回路１３Ｒの内部の図示を省略し、以下の説明では、ヘッドホンアンプ１０ｂのアンプ回路１３Ｌについて説明し、アンプ回路１３Ｒの説明を省略する。
【００４０】
ヘッドホンアンプ１０ｂのアンプ回路１３Ｌは、オペアンプ２０と、抵抗Ｒ３と、抵抗Ｒ４と、抵抗Ｒ５と、を含む。抵抗Ｒ４は、一端がボリューム回路１６およびオペアンプ２０の非反転入力端子２２に接続されて、他端がグランドに接地される。抵抗Ｒ５は、一端がオペアンプ２０の反転入力端子２１に接続されて、他端がグランドに接地される。また、抵抗Ｒ３は、オペアンプ２０の反転入力端子２１と出力端子２３とに接続される。さらにオペアンプ２０の出力端子２３は、ヘッドホン２を接続する出力端子１２Ｌ２に接続され、また、オペアンプ２０の反転入力端子２１ならびに抵抗Ｒ５は、出力端子１２Ｌ１に接続される。
【００４１】
オペアンプ２０では、入力信号が非反転入力端子２２に入力され、出力端子２３からの出力信号が、並列接続された抵抗Ｒ３およびヘッドホン２のドライバー４Ｌのボイスコイル５Ｌを介して反転入力端子２１に負帰還される。つまり、本実施例の場合には、オペアンプ２０の出力端子２３と反転入力端子２１とを結ぶ負帰還路は、可変抵抗ＶＲ３および抵抗値を有するヘッドホン２のボイスコイル５Ｌおよびコード６Ｌにより構成される。
【００４２】
ヘッドホンアンプ１０ｂでは、アンプ回路１３Ｌのオペアンプ２０の出力端子２３と反転入力端子２１とを結ぶ負帰還路に抵抗Ｒ３が接続されることで、ヘッドホン２およびコード６を出力端子１２から取り外しても負帰還路がオープンにならない。その結果、本実施例のヘッドホンアンプ１０ｂでは、アンプ回路１３のオペアンプ２０の動作が安定する利点がある。
【００４３】
アンプ回路１３Ｌのゲイン（利得）は、抵抗Ｒ４およびＲ５と、並列接続された抵抗Ｒ３およびボイスコイル５ＬのインピーダンスＺｈＬと、により定まる。ヘッドホンアンプ１０ｂでは、抵抗Ｒ４およびＲ５およびＲ３を適宜に所定値に変更することにより、アンプ回路１３Ｌのゲインをさらに詳細に調整することが容易になる。アンプ回路１３Ｌは、接続されるヘッドホン２の定格電気インピーダンスが大きい場合にはアンプ回路１３Ｌのゲインを高く、小さいときはゲインを低くすることができる。その結果、ヘッドホンアンプ１０ｂでは、様々な定格電気インピーダンスが異なるヘッドホン２を接続する場合でも、再生音量をある程度の範囲内の変化に抑えることができる。
【００４４】
なお、本実施例のヘッドホン再生装置１では、ヘッドホン２をオーバーヘッドタイプのヘッドホンとして説明及び図示したが、ヘッドホン２は、ボイスコイル５を備えるドライバー４を含み、リスナーの耳に装着して使用するイヤホンであってもよい。ヘッドホン２あるいはイヤホンは、左右のドライバー４を備えたステレオ用途だけでなく、モノラル信号に対応する一方のみのドライバー４を備えたヘッドホン２あるいはイヤホンであってもよい。また、ヘッドホン２のドライバー４は、振動板及びボイスコイルが振動する直接放射型のドライバーに限らず、コイルが固定されて振動板を磁界の変化で振動させるバランスドアーマチュア型のドライバーであってもよい。
【産業上の利用可能性】
【００４５】
本発明のヘッドホン用増幅器およびヘッドホン再生装置は、音声信号を再生するステレオ装置のみならず、ディスプレイ等の映像・音響機器に内蔵するヘッドホン用増幅器を内蔵するゲーム機、電話機にも適用が可能である。
【符号の説明】
【００４６】
１        ヘッドホン再生装置
２        ヘッドホン
３        キャビティ
４        ドライバー
５        ボイスコイル
６        コード
１０      ヘッドホンアンプ
１１      信号入力端子
１２      ヘッドホン出力端子
１３      アンプ回路
１４      マイコン
１５      操作回路
１６      ボリューム回路
２０      差動増幅回路
２１      反転入力端子
２２      非反転入力端子
２３      出力端子
【図１】
2015056705.tif 000003
【図２】
2015056705.tif 000004
【図３】
2015056705.tif 000005